【事件の表示】
　特願２０１２−１０１８５５「遊技機」拒絶査定不服審判事件〔平成２４年　８月３０日出願公開、特開２０１２−１６１６６３〕について、次のとおり審決する。
【結　論】
　本件審判の請求は、成り立たない。
【理　由】
１　手続の経緯・本願発明 
　本願は、平成２１年９月３０日に出願した特願２００９−２２６０２２号の一部を新たな特許出願（特願２０１２−１０１８５５号）としたものであって、平成２５年８月３０日付けで拒絶査定がなされ、それに対して、平成２５年１１月２６日に拒絶査定不服審判の請求がなされたものである。
　一方、当審において、平成２６年１２月２日付けで拒絶理由を通知し、応答期間内である平成２７年２月４日に意見書及び手続補正書が提出されたところである。 
　そして、この出願の請求項１に係る発明（以下、「本願発明」という。）は、平成２７年２月４日付け手続補正書により補正された特許請求の範囲の請求項１に記載された次のとおりのものと認める。 
「【請求項１】
　遊技球による遊技が行われる遊技領域内の特定の入賞口である始動口に入賞したことを契機として抽選が行われる遊技機であって、
　前記遊技領域の外に、複数個のＬＥＤ（Light Emitting Diode）を１列に並べて構成され、当該複数個のＬＥＤの点灯態様により、抽選結果を示す図柄である特別図柄を表示する特別図柄表示器と、
　前記始動口への入賞に応じて前記特別図柄表示器における前記特別図柄を前記抽選に伴う処理により特定される時間だけ変動させた後、当該特別図柄を構成するＬＥＤを前記抽選結果に対応付けられた態様で点灯させる制御手段と、
　を備えることを特徴とする遊技機。」 
   
２　刊行物 
（１）当審において通知した拒絶の理由に引用された特開２００７−１５１９３１号公報（以下、「刊行物１」という。）には、次の事項が図面とともに記載されている。 
   
（１−ａ）「【０００９】
　以下、本発明の実施形態を図面を参照しつつ説明する。図１は、本発明の一実施形態に係るパチンコ遊技機に配備された遊技盤１の正面図である。遊技盤１の略中央には開口よりなる窓部２が設けられ、遊技盤裏面にはカラー液晶表示装置で構成された遊技演出用の装飾表示装置（図１３の液晶表示装置５１）が窓部２に臨ませて配設されている。
遊技盤１の中央下部には、窓部２の下方に第１の始動口としての上始動口３が配設されている。
　
（１−ｂ）「【００１２】
　また、
上始動口３は、後述する第１の特別図柄表示装置１０における第１の可変表示ゲームを開始（図柄変動を開始）させるための始動入賞口（第１の始動口）に設定されている。
【００１３】
　また、遊技盤１の下部左側には、表示ＬＥＤ配設パネル９が配設されている。図２は、表示ＬＥＤ配設パネル９の正面図である。
表示ＬＥＤ配設パネル９の上部左側には、左右２連のＬＥＤで構成された第１の特別図柄表示装置としての特別図柄表示装置１０ａ，１０ｂ（以下、第１特別図柄表示装置という）
【００１４】
　第１特別図柄表示装置及び第２特別図柄表示装置の各ＬＥＤは、赤色、緑色、橙色の各発光色を発光表示可能なものである。
第１特別図柄表示装置は遊技者に第１の可変表示ゲーム（発光色による点灯態様を変化させた後に停止表示する。この明細書では、図柄の変動と停止ということにする。）を提供する
制御
　
（１−ｃ）「【００２６】
　次に、特別電動役物７に関する遊技について説明する。特別電動役物７は、第１特別図柄表示装置または第２特別図柄表示装置に特定の図柄の組合せが表示された場合に作動する。
遊技球が上始動口３に入賞すると、第１特別図柄表示装置が作動し、図柄が変動を開始する
　
（１−ｄ）「【００２８】
　
第１特別図柄表示装置または第２特別図柄表示装置の図柄が変動を開始してから１２．２秒以上が経過すると、各々の特別図柄表示装置に対応した図柄の変動が停止する
【００２９】
　第１特別図柄表示装置及び第２特別図柄表示装置に表示される図柄の組合せには、特別電動役物７が小当りで作動することとなる図柄の組合せ（以下「特別電動役物作動図柄」という。）と、条件フラグがセットされることとなる図柄の組合せ（以下「条件フラグ図柄」という。）とがある。
【００３０】
　第１特別図柄表示装置又は第２特別図柄表示装置に図３に示すそれぞれ３通りの特別電動役物作動図柄が表示されると特別電動役物７が小当りで作動し、大入賞口８が約２．６秒間に約０．３秒間の開放を２回するか又は遊技球が９個入賞すると特別電動役物７の作動が終了し、大入賞口８の開放が終了する。なお、図３に示すように、第１特別図柄表示装置による特別電動役物作動図柄と第２特別図柄表示装置による特別電動役物作動図柄とは点灯態様（図柄の組合せ）が同じとなっている。
【００３１】
　一方、第１特別図柄表示装置又は第２特別図柄表示装置に図４に示すそれぞれ１１通りの条件フラグ図柄が表示されると、条件フラグがセット（＝１）される。当該条件フラグのセットにより役物連続作動機能が作動する。役物連続作動機能の作動により特別電動役物７が作動し、大入賞口８が開放し、大入賞口８が２９．５秒間または約０．３秒間開放するか、もしくは遊技球が９個入賞すると特別電動役物７の作動が終了し、大入賞口８の開放が終了する（特別遊技状態の一実施態様）。なお、図４に示すように、第１特別図柄表示装置による条件フラグ図柄と第２特別図柄表示装置による条件フラグ図柄とは点灯態様（図柄の組合せ）が同じとなっている。
【００３２】
　図４に示す条件フラグ図柄のうち、大入賞口８が２９．５秒間もしくは遊技球が９個入賞すると大入賞口８の開放が終了する図柄の組合せ（
１５Ｒ図柄
第１特別図柄表示装置及び第２特別図柄表示装置において図５に示すそれぞれ６通りである。
【００３３】
　また、大入賞口８が約０．３秒間もしくは遊技球が９個入賞すると大入賞口８の開放が終了する図柄の組合せ（
２Ｒ図柄という
第１特別図柄表示装置及び第２特別図柄表示装置において図６に示すそれぞれ５通りである
　
（１−ｅ）「【００５１】
　ステップＳ０４の当落乱数更新処理では、
第１特別図柄表示装置及び第２特別図柄表示装置に関わる当り外れを決定する乱数
   
（１−ｆ）段落【００１４】、【００２６】から、上始動口３に入賞すると第１特別図柄表示装置の図柄が変動を開始し、発光色による点灯態様を変化させた後にＬＥＤを停止表示する制御手段を備えているといえる。
　
　よって、以上の事項を総合すると、刊行物１には、次の発明が記載されていると認められる（以下、この発明を「刊行物１発明」という。）。 
　
「第１特別図柄表示装置に関わる当たり外れを決定する乱数を有し、特別図柄表示器に配設された上始動口３に遊技球が入賞すると第１特別図柄表示装置が作動して、図柄が変動を開始するパチンコ遊技機であって、
　左右２連のＬＥＤで構成され、当該左右２連のＬＥＤの発光色による点灯態様により、２Ｒ図柄や１５Ｒ図柄等を表示する第１特別図柄表示装置と、
　上始動口３に入賞すると第１特別図柄表示装置の図柄が変動を開始し、発光色による点灯態様を変化させた後にＬＥＤを停止表示する制御手段と、
を備えるパチンコ遊技機。」
   
３　対比 
　本願発明と刊行物１発明とを対比する。
　
ア　刊行物１発明の「第１特別図柄表示装置」、「パチンコ遊技機」は、本願発明の「特別図柄表示器」、「遊技機」に、それぞれ、相当する。
　
イ　刊行物１発明の「遊技盤１の中央下部に配設された上始動口３」は、本願発明の「遊技球による遊技が行われる遊技領域内の特定の入賞口である始動口」に相当する。また、刊行物１発明は「第１特別図柄表示装置に関わる当たり外れを決定する乱数を有する」から、上始動口３に入賞したことを契機として第１特別図柄表示装置に関わる抽選が行われるものといえる。
　よって、刊行物１発明の「第１特別図柄表示装置に関わる当たり外れを決定する乱数を有し、特別図柄表示器に配設された上始動口３に遊技球が入賞すると第１特別図柄表示装置が作動して、図柄が変動を開始するパチンコ遊技機」は、本願発明の「遊技球による遊技が行われる遊技領域内の特定の入賞口である始動口に入賞したことを契機として抽選が行われる遊技機」に相当する。
　
ウ　刊行物１発明の「左右２連のＬＥＤで構成され」る点は、本願発明の「複数個のＬＥＤを１列に並べて構成され」る点に相当する。また、刊行物１発明の「２Ｒ図柄や１５Ｒ図柄等」は、本願発明の「抽選結果を示す図柄である特別図柄」に相当する。また、刊行物１発明の「ＬＥＤの発光色による点灯態様」は、本願発明の「ＬＥＤの点灯態様」に含まれる概念である。
　よって、刊行物１発明の「左右２連のＬＥＤで構成され、当該左右２連のＬＥＤの発光色による点灯態様により、２Ｒ図柄や１５Ｒ図柄等を表示する第１特別図柄表示装置」と、本願発明の「遊技領域の外に、複数個のＬＥＤ（Light Emitting Diode）を１列に並べて構成され、当該複数個のＬＥＤの点灯態様により、抽選結果を示す図柄である特別図柄を表示する特別図柄表示器」とは、「複数個のＬＥＤを１列に並べて構成され、当該複数個のＬＥＤの点灯態様により、抽選結果を示す図柄である特別図柄を表示する特別図柄表示器」である点で共通する。
　
エ　刊行物１発明の「上始動口３に入賞すると第１特別図柄表示装置の図柄が変動を開始し、発光色による点灯態様を変化させた後にＬＥＤを停止表示する制御手段」と、本願発明の「始動口への入賞に応じて特別図柄表示器における特別図柄を抽選に伴う処理により特定される時間だけ変動させた後、当該特別図柄を構成するＬＥＤを前記抽選結果に対応付けられた態様で点灯させる制御手段」とは、「始動口への入賞に応じて特別図柄表示器における特別図柄を変動させた後、当該特別図柄を構成するＬＥＤを前記抽選結果に対応付けられた態様で点灯させる制御手段」という点で共通する。
　
　したがって、本願発明と刊行物１発明とは、
「遊技球による遊技が行われる遊技領域内の特定の入賞口である始動口に入賞したことを契機として抽選が行われる遊技機であって、
　複数個のＬＥＤを１列に並べて構成され、当該複数個のＬＥＤの点灯態様により、抽選結果を示す図柄である特別図柄を表示する特別図柄表示器と、
　前記始動口への入賞に応じて前記特別図柄表示器における前記特別図柄を変動させた後、当該特別図柄を構成するＬＥＤを前記抽選結果に対応付けられた態様で点灯させる制御手段と、
　を備えることを特徴とする遊技機。」
である点で一致し、以下の点で相違する。
　
［相違点１］ 
　複数個のＬＥＤを１列に並べて構成される特別図柄表示装置に関して、本願発明は、「遊技領域の外に」設けられているのに対して、刊行物１発明は、そのような点について特定されていない点。
　
［相違点２］
　制御手段に関して、本願発明は、特別図柄を「抽選に伴う処理により特定される時間だけ」変動させるのに対し、刊行物１発明は、そのような点について特定されていない点。
　
４　当審の判断 
　上記相違点について検討する。 
ア　相違点１について
　遊技機の技術分野において特別図柄表示装置を遊技領域の外に設けることは、本願の遡及日前に周知の技術である（例えば、特開２００６−１７４９１０号公報の段落【００４８】、図１、特開２００９−１６００４４号公報の段落【０１３３】、図１８参照。）。
　そして、刊行物１発明と上記周知の技術とは、特別図柄表示装置を備えた遊技機という点で共通するものであり、広い遊技領域を確保するという課題については、遊技機の技術分野において一般的な課題であり、刊行物１及び上記周知の技術においても内在する課題であるといえる。
　そうすると、刊行物１発明において、複数個のＬＥＤを１列に並べて構成される特別図柄表示装置を遊技領域の外に設けることは、上記周知の技術に基づいて、当業者が容易に想到し得たことである。
　
イ　相違点２について
　遊技機の技術分野において特別図柄を抽選に伴う処理により特定される時間だけ変動させることは、本願の遡及日前に周知の技術である（例えば、特開２００６−１４９６１０号公報の段落【０１４９】参照。）。
　よって、刊行物１発明において、特別図柄を抽選に伴う処理により特定される時間だけ変動させることは、上記周知の技術に基づいて、当業者が容易に想到し得たことである。
　
ウ　本願発明が奏する効果について
　上記相違点１及び相違点２によって本願発明が奏する効果は、当業者が刊行物１発明及び周知の技術から予測し得る程度のものであって、格別のものではない。
　
　なお、請求人は、平成２７年２月４日付けの意見書において、「本願発明では、多色で発光するＬＥＤを用いることを想定していません。そして、ＬＥＤの数を減らさなくても、ＬＥＤを１列に並べることにより、遊技領域外における特別図柄表示器の設置スペースの削減を実現します。」と主張するが、本願発明においては、「複数個のＬＥＤの点灯態様により、抽選結果を示す図柄である特別図柄を表示する」と特定されており、ＬＥＤの色や数について具体的に特定しているものではない。
　よって、当該主張は、請求項１の記載に基づかないものであり、失当である。
　
５　むすび 
　以上のとおりであるから、本願発明は、刊行物１発明、周知の技術に基づいて当業者が容易に発明をすることができたものであり、特許法第２９条第２項の規定により特許を受けることができない。 
　したがって、その余の請求項に係る発明において検討するまでもなく、本願は、拒絶されるべきものである。 
　よって、結論のとおり審決する。